(57)【特許請求の範囲】
【請求項１】
当該装置の傾きを検出する傾き検出部と、
所望の撮影が可能となる当該装置の第１の傾きを設定する傾き設定部と、
前記傾き設定部によって設定された第１の傾きと、前記傾き検出部が検出している第２の傾きとが一致しているか否かを判定する傾き判定部と、
前記傾き判定部が前記第１の傾きと前記第２の傾きとが一致していないと判定した場合に、前記第１の傾きと前記第２の傾きとが一致する方向を指示する表示内容を出力する制御部と、
前記制御部から出力された表示内容を表示する表示部と、を備え、
前記傾き設定部は、複数回指定された傾きの平均値を前記第１の傾きに設定し、
前記制御部は、前記第１の傾きと前記第２の傾きとの差の大きさに応じて、前記表示内容の表示態様を変更する、
撮影装置。
【請求項２】
前記撮影装置は、前記第１の傾きを設定するための設定モードと、当該装置による撮影を行うための撮影モードとを有しており、
前記傾き設定部は、前記設定モードにおいて、前記傾き検出部により検出された当該装置の傾きを前記第１の傾きに設定し、
前記制御部は、前記撮影モードにおいて、前記第１の傾きと前記第２の傾きとが一致する方向を指示する表示内容を出力する請求項１に記載の撮影装置。
【請求項３】
前記制御部は、前記一致度合いに応じて、前記第１の傾きと、前記第２の傾きとが一致する方向を指示する音声内容を出力し、
前記撮影装置は、前記制御部から出力された音声内容を出音する音声出力部をさらに備え、
前記音声内容は、前記第１の傾きと前記第２の傾きとの差の大きさに関する音声が含まれる、
請求項１又は２に記載の撮影装置。
【請求項４】
前記制御部は、前記第１の傾きと、前記第２の傾きとが一致した場合に、その旨を通知する表示内容を前記表示部に出力する請求項１乃至３のいずれか１項に記載の撮影装置。
【請求項５】
前記制御部は、前記第１の傾きと、前記第２の傾きとが一致した場合に、その旨を通知する音声内容を前記音声出力部に出力する請求項３に記載の撮影装置。
【請求項６】
前記撮影装置は、前記第１の傾きと、前記第２の傾きとが一致したときから設定時間が経過したか否かを判定するタイマー部をさらに備え、
前記制御部は、前記設定時間が経過したと前記タイマー部が判定した場合に撮影する請求項１乃至５のいずれか１項に記載の撮影装置。
【請求項７】
前記撮影装置は、画像を撮影する装置である請求項１乃至６のいずれか１項に記載の撮影装置。
【請求項８】
前記撮影装置は、携帯電話端末である請求項７に記載の撮影装置。
【請求項９】
所望の撮影が可能となる撮影装置の第１の傾きを設定する傾き設定ステップと、
前記撮影装置の第２の傾きを検出する傾き検出ステップと、
前記設定した第１の傾きと、前記検出した第２の傾きとが一致しているか否かを判定する判定ステップと、
前記第１の傾きと前記第２の傾きとが一致していないと判定した場合に、前記第１の傾きと前記第２の傾きとが一致する方向を指示する表示内容を表示する表示ステップとを備え、
前記傾き設定ステップでは、複数回指定された傾きの平均値を前記第１の傾きに設定し、
前記表示ステップでは、前記第１の傾きと前記第２の傾きとの差の大きさに応じて、前記表示内容の表示態様を変更する、
撮影支援方法。
【請求項１０】
所望の撮影が可能となる撮影装置の第１の傾きを設定する傾き設定ステップと、
前記撮影装置の第２の傾きを検出する傾き検出ステップと、
前記設定した第１の傾きと、前記検出した第２の傾きとが一致しているか否かを判定する判定ステップと、
前記第１の傾きと前記第２の傾きとが一致していないと判定した場合に、前記第１の傾きと前記第２の傾きとが一致する方向を指示する表示内容を表示する表示ステップとをコンピュータに実行させ、
前記傾き設定ステップでは、複数回指定された傾きの平均値を前記第１の傾きに設定し、
前記表示ステップでは、前記第１の傾きと前記第２の傾きとの差の大きさに応じて、前記表示内容の表示態様を変更する、
撮影支援プログラム。
【発明の詳細な説明】
【技術分野】
【０００１】
本発明は、撮影装置、撮影支援方法及び撮影支援プログラムに関する。
【背景技術】
【０００２】
携帯電話端末に搭載されているカメラ機能は、年々、高画素化・高感度化してきている。また、ホームページやブログ等のように、携帯電話端末によって撮影した画像を簡単に公開することができる場や機会が増えてきている。そのため、旅行先等で携帯電話端末のカメラ機能を用いて気軽に画像を撮影して楽しむ利用者が増えている。
しかし、旅行先等で第三者に撮影を依頼する際、撮影を依頼した依頼主が希望している構図よりも撮影者である第三者の好みの構図で画像が撮影されることが多い。また、第三者の撮影技術にも左右されるため、依頼主にとって十分に満足のできる画像になることが少ない。
【０００３】
また、第三者に希望の構図を細かく説明し、複数回撮影してもらうことで希望の構図に近づけることは可能だが、実際には短時間で正確に伝えることは難しく、旅行先で人気の撮影場所等のように独占して複数回撮影をしてもらうことが難しい場合も多いため、希望の構図での画像を残すことができないことがある。
【０００４】
特許文献１には、携帯電話機に付属するカメラのシャッターを、その携帯電話機への着信に基づき、自動的に操作するように構成することによって、一方の携帯電話機をカメラモードにして、他方の携帯電話機でその一方の携帯電話機のカメラのシャッターを遠隔操作することができ、他人にシャッター操作をお願いしなくても良くなる技術が開示されている。
【０００５】
また、特許文献２には、２回目の撮影で撮影しようとする画像データにおいて、１回目の撮影で撮影された画像データにおける第１のマーカ画像と、１回目の撮影画像内における特定点に基づいて決定した第２のマーカ画像とを表示することによって、複数回の撮影を行って撮影画像を合成する場合に、複数の画像の位置合わせを精度よく行うことができるようにすることができる技術が開示されている。
【０００６】
また、特許文献３には、映像とともに、ムービーカメラの基準位置からの移動方位、距離及び撮影方位や、水平方向と垂直方向の傾き角等のうち少なくともいずれかのデータにより構成されるメタデータを記録し、このメタデータを用いて、ムービーカメラを視点としてみた３次元空間情報を計算して擬似背景画像を生成することによって、高品質な画像合成ができる技術が開示されている。
【先行技術文献】
【特許文献】
【０００７】
【特許文献１】特開２００３−０１８２５４号公報
【特許文献２】特開２００６−１７４３５３号公報
【特許文献３】特開２００８−０５４１５５号公報
【発明の概要】
【発明が解決しようとする課題】
【０００８】
背景技術として説明したように、第三者に画像の撮影を依頼する場合、依頼主が希望する構図の画像を撮影することができないという問題点がある。
しかし、特許文献１、３は、希望の構図で撮影するための具体的な技術を開示したものではない。また、特許文献２は、撮影画像内における特定点に基づいたマーカ画像を用いることによって、複数の画像の位置合わせを精度よく行う技術が開示されているが、撮影装置の傾きに基づいて、希望の構図で撮影するための具体的な技術を開示したものではない。
【０００９】
本発明の目的は、上述した課題を解決するために、第三者に撮影を依頼する場合であっても、依頼主が希望する構図で撮影をすることができる撮影装置、撮影支援方法及び撮影支援プログラムを提供することである。
【課題を解決するための手段】
【００１０】
本発明の第１の態様にかかる撮影装置は、当該装置の傾きを検出する傾き検出部と、所望の撮影が可能となる当該装置の第１の傾きを設定する傾き設定部と、前記傾き設定部によって設定された第１の傾きと、前記傾き検出部が検出している第２の傾きとが一致しているか否かを判定する傾き判定部と、前記傾き判定部が前記第１の傾きと前記第２の傾きとが一致していないと判定した場合に、前記第１の傾きと前記第２の傾きとが一致する方向を指示する表示内容を出力する制御部と、前記制御部から出力された表示内容を表示する表示部と、を備え、前記傾き設定部は、複数回指定された傾きの平均値を前記第１の傾きに設定し、前記制御部は、前記第１の傾きと前記第２の傾きとの差の大きさに応じて、前記表示内容の表示態様を変更するものである。
【００１１】
本発明の第２の態様にかかる撮影支援方法は、所望の撮影が可能となる撮影装置の第１の傾きを設定する傾き設定ステップと、前記撮影装置の第２の傾きを検出する傾き検出ステップと、前記設定した第１の傾きと、前記検出した第２の傾きとが一致しているか否かを判定する判定ステップと、前記第１の傾きと前記第２の傾きとが一致していないと判定した場合に、前記第１の傾きと前記第２の傾きとが一致する方向を指示する表示内容を表示する表示ステップとを備え、前記傾き設定ステップでは、複数回指定された傾きの平均値を前記第１の傾きに設定し、前記表示ステップでは、前記第１の傾きと前記第２の傾きとの差の大きさに応じて、前記表示内容の表示態様を変更するものである。
【００１２】
本発明の第３の態様にかかる撮影支援プログラムは、所望の撮影が可能となる撮影装置の第１の傾きを設定する傾き設定ステップと、前記撮影装置の第２の傾きを検出する傾き検出ステップと、前記設定した第１の傾きと、前記検出した第２の傾きとが一致しているか否かを判定する判定ステップと、前記第１の傾きと前記第２の傾きとが一致していないと判定した場合に、前記第１の傾きと前記第２の傾きとが一致する方向を指示する表示内容を表示する表示ステップとをコンピュータに実行させ、前記傾き設定ステップでは、複数回指定された傾きの平均値を前記第１の傾きに設定し、前記表示ステップでは、前記第１の傾きと前記第２の傾きとの差の大きさに応じて、前記表示内容の表示態様を変更するものである。
【発明の効果】
【００１３】
上述した本発明の各態様により、第三者に撮影を依頼する場合であっても、依頼主が希望する構図で撮影をすることができる撮影装置、撮影支援方法及び撮影支援プログラムを提供することができる。
【図面の簡単な説明】
【００１４】
【図１】本発明の実施の形態１にかかる撮影装置の構成図である。
【図２】本発明の実施の形態２にかかる携帯電話端末の構成図である。
【図３】本発明の実施の形態２にかかる携帯電話端末の処理を示すフローチャートである。
【図４】本発明の実施の形態２にかかる利用者が希望する構図の一例を示す図である。
【図５】本発明の実施の形態２にかかる第三者による構図の一例を示す図である。
【図６】本発明の実施の形態２にかかる携帯電話端末の外観の一例を示す図である。
【発明を実施するための形態】
【００１５】
発明の実施の形態１．
図１を参照して、本発明の実施の形態１にかかる撮影装置について説明する。図１は、本発明の実施の形態１にかかる撮影装置の構成図である。
【００１６】
撮影装置３は、傾き検出部３１、傾き設定部３２、傾き判定部３３及び制御部３４を備える。
傾き検出部３１は、撮影装置３の傾きを検出する。
傾き設定部３２は、所望の撮影が可能となる撮影装置３の第１の傾きを設定する。
傾き判定部３３は、前記傾き設定部３２によって設定された第１の傾きと、傾き検出部３２が検出している第２の傾きとの一致度合いを判定する。
制御部３４は、傾き判定部３３が判定した一致度合いに応じて、第１の傾きと、第２の傾きとが一致するように指示する。
【００１７】
続いて、図１を参照して、本発明の実施の形態１にかかる撮影装置の処理について説明する。
傾き設定部３２は、第三者に撮影を依頼する依頼主が、自身が希望する構図を撮影が可能となる撮影装置３の第１の傾きを設定する操作に応じて、第１の傾きを設定する。
次に、傾き検出部３１は、第三者が撮影をするときにおける撮影装置３の第２の傾きを検出する。
傾き判定部３３は、第１の傾きと、第２の傾きと一致度合いを判定する。
そして、制御部３４は、傾き判定部３３が判定した一致度合いに応じて、第１の傾きと、第２の傾きが一致するように第三者に指示をする。
【００１８】
以上に説明したように、本実施の形態１によれば、第三者に撮影を依頼する依頼主が希望する構図となったとき、つまり、所望の撮影が可能となる撮影装置３の第１の傾きを設定し、設定した第１の傾きと、第三者が撮影するときにおける撮影装置３の第２の傾きとの一致度合いを判定し、一致度合いに応じて、傾きが一致するように指示するようにしている。これにより、第三者は、この指示に従うことによって、依頼主の希望する構図となるように撮影装置３の傾きを修正することができるため、第三者に撮影を依頼する場合であっても、依頼主が希望する構図で撮影をすることができる。
【００１９】
発明の実施の形態２．
図２を参照して、本発明の実施の形態２にかかる携帯電話端末について説明する。図２は、本発明の実施の形態２にかかる携帯電話端末の構成図である。本実施の形態２では、本発明にかかる撮影装置として、携帯電話端末に適用した場合について例示する。
【００２０】
携帯電話端末１は、アンテナ部１１、通信制御部１２、操作部１３、表示部１４、電源制御部１５、音声入出力部１６、正面カメラ部１７、背面カメラ部１８、画像処理部１９、画像データ記憶部２０、方向指示部２１、傾き検出部２２、撮影サポート用メモリ部２３、タイマー部２４、音声指示用データ部２５及び全体制御部２６を備える。 
【００２１】
アンテナ部１１は、電波の送受信を行うハードウェアである。
通信制御部１２は、アンテナ部１１を介して、携帯電話端末１の通話に必要なデータを電波によって送受信する。
操作部１３は、携帯電話端末１の利用者又は利用者から撮影を依頼された第三者からの入力を処理する。操作部１３は、例えば、携帯電話端末１を操作するときに押下するボタンを有する。
表示部１４は、利用者又は第三者に対して各種表示を行う。表示部１４は、例えば、カラー液晶パネル、プラズマディスプレイパネル又は有機ＥＬ(Electro Luminescence)パネル等の表示パネルを有する。また、表示部１４は、表示パネルの上下左右に方向指示用ＬＥＤ(Liquid Crystal Display)を有する。
【００２２】
電源制御部１５は、携帯電話端末１の各部に電源を供給する。電源制御部１５は、例えば、バッテリー電池等を有し、携帯電話端末１に充電ケーブルが接続されたときには、バッテリー電池を充電する。
音声入出力部１６は、携帯電話端末１の通話に必要な各種音声の入出力を行う。また、音声入出力部１６は、第三者に対して、携帯電話端末１を移動すべき方向の通知等の音声指示を出力する。音声入出力部１６は、例えば、マイク、スピーカー及びレシーバーを有する。
【００２３】
正面カメラ部１７は、テレビ電話を行う際に自分撮りを行う。正面カメラ部１７は、例えば、レンズやイメージセンサ等を有する。
背面カメラ部１８は、利用者又は第三者からの入力に応じて、被写体を撮影する。背面カメラ部１８は、背景や人物等の被写体の画像を示す画像データを生成する。背面カメラ部１８は、例えば、レンズやイメージセンサ等を有する。
画像処理部１９は、画像データに対して、手ブレ補正やノイズ除去等の各種画像処理を行う。
画像データ記憶部２０は、画像データを格納する。画像データ記憶部２０は、例えば、ＳＤメモリーカード、ｍｉｃｒｏＳＤカード等の外部記憶媒体を有する。
【００２４】
方向指示部２１は、第三者に撮影を依頼したときに有効にされる撮影サポート用のカメラ撮影モードの場合に、第三者に撮影を依頼する依頼主である利用者が希望する構図となる携帯電話端末１の傾きと、第三者が画像を撮影するときに傾き検出部２２がリアルタイムで検出する携帯電話端末１の傾きとを比較する。そして、比較した結果に応じて、表示部１４の方向指示用ＬＥＤを点灯又は点滅させる。傾きデータは、少なくとも鉛直方向を軸とした傾きを示す情報と、第三者が被写体を撮影しようとした場合に、背面カメラ部１８のレンズが被写体に対して上向きとなっているか又は下向きとなっているかの傾きを示す情報とを含む。鉛直方向を軸とした傾きを示す情報とは、言い換えると、携帯電話端末１がどの方角を向いているかを示す情報となる。方向指示部２１は、実施の形態１における傾き判定部３３に対応する。
【００２５】
傾き検出部２２は、携帯電話端末１の傾きを検出して、検出した傾きを示す傾きデータを生成する。傾き検出部２２は、例えば、加速度センサーや地磁気センサー等を有する。傾き検出部２２は、実施の形態１における傾き検出部３１に対応する。
撮影サポート用メモリ部２３は、利用者が第三者に撮影させる画像の構図を決定したときに傾き検出部２２が生成した傾きデータを格納する。
タイマー部２４は、方向指示部２１が比較した傾きデータが一致したときから設定時間が経過したか否かを判定する。そして、設定時間が経過した場合は、背面カメラ部１８に画像の撮影を行わせる。
音声指示用データ部２５は、音声入出力部１６が出力する音声指示に必要な音声データを格納する。
全体制御部２６は、上述した各部１２〜２５を制御して、携帯電話端末１の機能を実現する。全体制御部２６は、実施の形態１における傾き設定部３２及び制御部３４に対応する。
【００２６】
続いて、本発明の実施の形態２にかかる携帯電話端末の処理について説明する。図３は、本発明の実施の形態２にかかる携帯電話端末の処理を示すフローチャートである。
【００２７】
携帯電話端末１の利用者は、操作部１３への入力によって、携帯電話端末１のカメラ撮影機能を起動する。
このとき、利用者は、第三者に撮影を依頼しない場合、撮影サポート機能をＯＮにせず、操作部１３への入力によって、カメラ撮影機能を通常のカメラ撮影モードで動作する(Ｓ１０１：ＮＯ)。
【００２８】
通常のカメラ撮影モードでは、背面カメラ部１８がレンズを介して取り込んだ被写体の画像を示す画像データを随時生成する。全体制御部２６は、背面カメラ部１８が生成する画像データを表示部１４に随時出力する。表示部１４は、全体制御部２６から出力される画像データに基づいて、被写体の画像を随時表示する。
【００２９】
利用者は、この表示部１４に随時表示されている被写体の画像が自身の希望する構図となったときに、操作部１３のシャッターボタンを押下することで、希望する構図の画像を撮影することができる。全体制御部２６は、操作部１３のシャッターボタンの押下に応じて、シャッターボタンが押下されたときに背面カメラ部１８が生成した画像データを画像処理部１９に出力する。画像処理部１９は、全体制御部２６から出力された画像データに対して、画像処理を行う。全体制御部２６は、画像処理部１９による画像処理後の画像データを画像データ記憶部２０に格納する。通常のカメラ撮影モードでは、このようにして、画像を撮影して、保存することができる(Ｓ１１３)。
【００３０】
他方、利用者は、第三者に撮影を依頼する場合、操作部１３への入力によって、撮影サポート機能をＯＮにして、カメラ撮影機能を起動する(Ｓ１０１：ＹＥＳ)。これにより、利用者が、自身の希望する構図の画像を撮影することができる携帯電話端末１の傾きを設定することができる撮影サポート用の設定モードに移行する。撮影サポート機能をＯＮにした場合にも、全体制御部２６は、上述したように背面カメラ部１８が随時生成する画像データに基づいて、被写体の画像を表示部１４に随時表示する。利用者は、自身が撮影したい位置から自身が希望する構図で、操作部１３のシャッターボタンを押下する(Ｓ１０２：ＹＥＳ)。
【００３１】
このとき、全体制御部２６は、シャッターボタンが押下されたときの携帯電話端末１の傾きを示す傾きデータを傾き検出部２２から取得する。ここでの傾きデータは、傾き検出部２２が随時傾きデータを生成するようにして、全体制御部２６が、シャッターボタンが押下されたときに傾きデータを傾き検出部２２から取得するようにしてもよく、シャッターボタンが押下されたときに全体制御部２６が傾き検出部２２に傾きデータの生成を要求して、要求に応じて生成された傾きデータを取得するようにしてもよい。
【００３２】
そして、全体制御部２６は、傾き検出部２２が生成した傾きデータを撮影サポート用メモリ部２３に格納する(Ｓ１０３)。これにより、撮影サポート用メモリ部２３には、利用者が希望する構図を撮影するために必要な携帯電話端末１の傾きを示す傾きデータが格納される。このようにして、所望の撮影が可能となる携帯電話端末１の傾きが撮影サポート用メモリ部２３に設定される。
【００３３】
また、全体制御部２６は、利用者からのシャッターボタンの押下に応じて、シャッターボタンを押下したときにおける画像を表示部１４に表示させたままとする(Ｓ１０４)。
この表示部１４に表示される画像によって、利用者は、撮影を依頼する第三者に対して、自身が希望する構図を視覚的に分かりやすく説明することができる。そして、利用者は、携帯電話端末１を第三者に渡して、自身がシャッターボタンを押下した場所と同じ位置で撮影をしてもらえるように依頼する。
【００３４】
第三者は、表示部１４に表示された画像の確認後、シャッターボタンを押下することで、第三者が撮影をすることができる撮影サポート用のカメラ撮影モードに移行する(Ｓ１０５：ＹＥＳ)。全体制御部２６は、撮影サポート用のカメラ撮影モードでは、第三者からのシャッターボタンの押下に応じて、表示部１４に表示させたままとなっている画像の表示を止める(Ｓ１０６)。そして、全体制御部２６は、上述したように背面カメラ部１８が随時生成する画像データに基づいて、被写体の画像を表示部１４に随時表示する。また、傾き検出部２２は、携帯電話端末１の傾きを随時検出して傾きデータを生成する。
方向指示部２１は、傾き検出部２２が随時生成する傾きデータが示す傾きと、撮影サポート用メモリ部２３に格納された傾きデータが示す傾きとが一致しているか否かを随時比較する(Ｓ１０７)。
【００３５】
ここで、例えば、利用者が図４に例示すような構図を希望していたにも関わらず、第三者が図５に例示するように携帯電話端末１の背面カメラ部１８のレンズを上向きに傾けすぎてしまっている場合は、背景や人物等の被写体の撮影位置が下方向にずれ込んでしまい、利用者が希望していた構図とならない。このような場合は、利用者が希望する構図となるように携帯電話端末１を構えているときと比較して、第三者が構えている携帯電話端末１は、上向きに傾きすぎてしまっていることとなるため、方向指示部２１において比較した傾きは一致しないこととなる。
【００３６】
このように、傾きデータが一致しない場合(Ｓ１０８：ＮＯ)、方向指示部２１は、第三者に対して、携帯電話端末１を移動すべき方向を表示及び出音するように全体制御部２６に要求する。
全体制御部２６は、方向指示部２１からの要求に応じて、携帯電話端末１を移動すべき方向の方向指示用ＬＥＤを点滅又は点灯させる表示データを表示部１４に出力する。表示部１４は、全体制御部２６から出力された表示データに基づいて、方向指示用ＬＥＤを点滅又は点灯させる。これにより、撮影者である第三者に対して、携帯電話端末１を移動すべき方向を視覚的に伝えることができる。
さらに、全体制御部２６は、音声指示用データ部２５から携帯電話端末１を移動すべき方向を知らせる音声データを取得し、取得した音声データを音声入出力部１６に出力する。音声入出力部１６は、全体制御部２６から出力された音声データに基づいた音声を出音する(Ｓ１０９)。これにより、撮影者である第三者に対して、携帯電話端末１を移動すべき方向を聴覚的に伝えることができる。
【００３７】
ここで、図４〜６を参照して、ステップＳ１０９における処理について詳細に説明する。携帯電話端末１の外観の一例を示す図である。
図６に例示するように、方向指示用ＬＥＤ１４２は、表示パネル１４１の上下左右のそれぞれに備えられている。例えば、図５に例示したように、第三者が背面カメラ部１８のレンズ１８１を上向きに傾けすぎてしまっている場合は、表示パネル１４１の下側の方向指示用ＬＥＤ１４２が点滅又は点灯し、携帯電話端末１を下方向に移動するように促す音声が音声入出力部１６のスピーカー１６１から出音される。第三者は、携帯電話端末１を下方向に移動することにより、図４に例示したように、撮影する画像を利用者が希望する構図とすることができる。ここで、通常、携帯電話端末１を上下に移動すると、肘や肩等を軸として携帯電話端末１を円弧状に移動させることになる。そのため、図５に例示した場合において、携帯電話端末１を下方向きに移動すると、背面カメラ部１８のレンズ１８１が下向きになり、携帯電話端末１の傾きを利用者の希望する構図となるようにすることができる。
【００３８】
一方、傾きが一致した場合(Ｓ１０８：ＹＥＳ)、方向指示部２１は、第三者に対して、利用者が希望する構図となった旨を通知するように全体制御部２６に要求する。
全体制御部２６は、方向指示部２１からの要求に応じて、方向指示用ＬＥＤの全てを点滅又は点灯させる表示データを表示部１４に出力する。表示部１４は、全体制御部２６から出力された表示データに基づいて、全ての方向指示用ＬＥＤを点滅又は点灯させる。これにより、撮影者である第三者に対して、利用者が希望する構図となった旨を視覚的に伝えることができる。
さらに、全体制御部２６は、音声指示用データ部２５から利用者が希望する構図となった旨を知らせる音声データを取得し、取得した音声データを音声入出力部１６に出力する。音声入出力部１６は、全体制御部２６から出力された音声データに基づいた音声を出音する(Ｓ１１０)。これにより、撮影者である第三者に対して、利用者が希望する構図となった旨を聴覚的に伝えることができる。
【００３９】
また、全体制御部２６は、方向指示部２１からの要求に応じて、タイマー部２４に撮影を行うまでの時間を判定する要求をする。
タイマー部２４は、全体制御部２６からの要求に応じて、その要求を受けた時点から設定時間が経過したか否かを判定する。タイマー部２４は、設定時間が経過すると、その旨を全体制御部２６に通知する。なお、設定時間は、例えば、タイマー部２４が有するレジスタ又はメモリ等の任意の記憶装置に格納しておくことで認識可能とする。また、設定時間は、利用者が操作部１３から入力した任意の時間を格納することによって、利用者が自由に変更することができる。
【００４０】
全体制御部２６は、タイマー部２４から設定時間が経過した旨の通知を受けると、そのときに背面カメラ部１８が生成した画像データを画像処理部１９に出力する。画像処理部１９は、全体制御部２６から出力された画像データに対して、画像処理を行う。全体制御部２６は、画像処理部１９による画像処理後の画像データを画像データ記憶部２０に格納する。また、全体制御部２６は、利用者からのシャッターボタンの押下に応じて、シャッターボタンを押下したときに表示部１４に表示していた画像を表示させたままとする(Ｓ１１１)。また、全体制御部２６は、利用者が希望する構図となった旨を通知する方向指示用ＬＥＤを点滅又は点灯と、音声の出音を停止する。
【００４１】
このようにして、利用者が希望する構図となったときに、画像を撮影して、保存することができる。また、利用者が希望する構図となった場合に、設定時間の経過後、自動で撮影を行うようにしているため、利用者が操作部１３のシャッターボタンを押下する負担を軽減するとともに、シャッターボタンを押下する際の手ブレを抑制することができる。
【００４２】
全体制御部２６は、撮影サポート用のカメラ撮影モードを終了するか否かを問い合わせる表示データを表示部１４に出力する。表示部１４は、全体制御部２６から出力された表示データに基づいて、撮影サポート用のカメラ撮影モードを終了するか否かの問い合わせを表示パネルに表示する(Ｓ１１２)。
利用者又は第三者は、撮影サポート用のカメラ撮影モードを終了せず、引き続き撮影を行う場合、その旨を操作部１３に入力する。この場合、再度ステップＳ１０７から処理が行われる(Ｓ１１２：ＮＯ)。
利用者又は第三者は、撮影サポート用のカメラ撮影モードを終了する場合、その旨を操作部１３に入力する。この場合、全体制御部２６は、撮影サポート用のカメラ撮影モードにおける処理を終了する(Ｓ１１２：ＹＥＳ)。
【００４３】
以上説明したように、本実施の形態２によれば、撮影する画像が第三者に撮影を依頼する依頼主の希望する構図となったとき、つまり、所望の撮影が可能となる携帯電話端末１の傾きを設定し、設定した傾きと、第三者が画像を撮影するときにおける携帯電話端末１の傾きとが一致したか否かを判定し、傾きが一致したか否かに応じて、傾きが一致するように指示するようにしている。これにより、第三者は、この指示に従うことによって、撮影する画像が依頼主の希望する構図となるように携帯電話端末１の傾きを修正することができるため、第三者に画像の撮影を依頼する場合であっても、依頼主が希望する構図の画像を撮影することができる。また、これにより、第三者が指示に応じて、携帯電話端末１を移動して傾きを修正するという単純な動作を行うのみで、撮影する画像の内容を意識して構図を合わせることなく、依頼主の希望する構図にすることができるため、撮影する第三者にかかる負荷を軽減しつつ、依頼主が希望する構図の画像を撮影することができる。
【００４４】
また、本実施の形態２によれば、第三者に、方向指示用ＬＥＤによって携帯電話端末１を移動する方向を視覚的に指示するようにしており、また、音声によっても携帯電話端末１を移動する方向を聴覚的に指示するようにしている。そのため、第三者による携帯電話端末１を移動する方向の把握を容易にし、第三者が簡単に構図の調整を行うことができる。
【００４５】
さらに、本実施の形態２によれば、依頼主の希望する構図となる携帯電話端末１の傾きと、第三者が画像を撮影するときにおける携帯電話端末１の傾きとが一致したときから、設定時間が経過したら自動で撮影を行うようにしている。そのため、第三者は、構図の調整のみに集中することができ、シャッターボタンを押下したときの手ブレもなくすことができるため、依頼主の希望する構図で、より綺麗な画像を撮影することができる。
【００４６】
なお、本発明は上記実施の形態に限られたものではなく、趣旨を逸脱しない範囲で適宜変更することが可能である。
本実施の形態２では、携帯電話端末に適用した場合について例示したが、撮影機能を有している撮影装置であれば、どのようなものに適用してもよい。例えば、携帯電話端末の他に、ＰＨＳ(Personal Handyphone System)、ＰＤＡ(Personal Data Assistance)又はデジタルカメラ等のように画像を撮影する装置に適用してもよく、フィルムに撮影をするカメラ等に適用してもよい。
【００４７】
また、本実施の形態２では、傾きの一致を判定しているが、傾きが完全に一致した場合のみを一致と判定するようにしなくてもよい。例えば、本実施の形態２における傾きの一致は、ある程度人間が調整できる誤差を考慮した範囲内であれば一致していると判定するようにしてもよい。
【００４８】
また、本実施の形態２では、傾きが一致するか否かに応じて、傾きが一致するように指示するようにしているが、傾きの一致度合いを判定するようにして、判定した一致度合いに応じて、傾きが一致するように指示するようにしてもよい。例えば、傾きが大きく異なる場合は、携帯電話端末１を移動すべき方向を点滅させている方向指示用ＬＥＤの点滅速度を早くして、傾きが大きく異なる旨の音声を出音するようにしてもよく、傾きが少しだけ異なる場合には、携帯電話端末１を移動すべき方向を点滅させている方向指示用ＬＥＤの点滅速度を遅くして、傾きが少しだけ異なる旨の音声を出音するようにしてもよい。
【００４９】
また、本実施の形態２では、表示部１４の表示パネルの上下左右に方向指示用ＬＥＤを設けているが、これに限られない。例えば、左上、右上、左下、右下にも方向指示用ＬＥＤを設けるようにして、携帯電話端末１を右下に移動するように指示する場合に、表示パネルの右と下の方向指示用ＬＥＤを点滅又は点灯させるのではなく、表示パネルの右下の方向指示用ＬＥＤを点滅又は点灯するようにしてもよい。
【００５０】
また、本実施の形態２では、表示部１４の表示パネルの上下左右に方向指示用ＬＥＤを設けて、少なくとも鉛直方向を軸とした傾きと、背面カメラ部１８のレンズが被写体に対して上向きとなっているか又は下向きとなっているかの傾きを検出及び判定するようにしているが、撮影者からみて携帯電話端末１が時計回り又は反時計回りに傾いているかどうかの傾きも検出及び判定するようにしてもよい。つまり、傾きを３軸で検出及び判定するようにしてもよい。この場合、依頼主が希望する構図となるように、携帯電話端末１を時計回り又は反時計回りに傾けるように指示する方向指示用ＬＥＤは、任意に定義付けて表示部１４等に設けるようにしてもよい。また、音声についても同様に任意の音声を出音するようにしてもよい。
【００５１】
また、本実施の形態２では、傾きを一致するように指示する方向指示用ＬＥＤを表示パネルの上下左右に設けているが、傾きを一致するように指示する表示内容は、これに限られない。例えば、表示パネルに表示される画像に重ね合わせて、携帯電話端末１を移動する方向を示す画像を表示するようにしてもよい。
【００５２】
また、本実施の形態２では、利用者が第三者に撮影を依頼する前に、利用者が希望する構図でシャッターボタンを押下して指定したときにおける傾きを示す傾きデータを撮影サポート用メモリ部２３に格納しているが、このときに複数回指定をできるようにして、それらのうちのいずれか又は全ての平均をとった傾きを示す傾きデータを撮影サポート用メモリ部２３に格納するようにしてもよい。
【００５３】
以上に説明した本発明にかかる撮影装置は、上述の実施の形態の機能を実現するプログラムを記憶した記憶媒体をシステムもしくは装置に供給し、システムあるいは装置の有するコンピュータ又はＣＰＵ(Central Processing Unit)、ＭＰＵ(Micro Processing Unit)がこのプログラムを実行することによって、構成することが可能である。
【００５４】
また、このプログラムは様々な種類の記憶媒体に格納することが可能であり、通信媒体を介して伝達されることが可能である。ここで、記憶媒体には、例えば、フレキシブルディスク、ハードディスク、磁気ディスク、光磁気ディスク、ＣＤ−ＲＯＭ(Compact Disc Read Only Memory)、ＤＶＤ(Digital Versatile Disc)、ＢＤ(Blu-ray(登録商標) Disc)、ＲＯＭ(Read Only Memory)カートリッジ、バッテリバックアップ付きＲＡＭ(Random Access Memory)、メモリカートリッジ、フラッシュメモリカートリッジ、不揮発性ＲＡＭカートリッジを含む。また、通信媒体には、電話回線等の有線通信媒体、マイクロ波回線等の無線通信媒体を含む。また、上述のプログラムは、インターネットを介して伝達することも可能である。
【００５５】
また、コンピュータが上述の実施の形態の機能を実現するプログラムを実行することにより、上述の実施の形態の機能が実現されるだけではなく、このプログラムの指示に基づき、コンピュータ上で稼動しているＯＳ(Operating System)もしくはアプリケーションソフトと共同して上述の実施の形態の機能が実現される場合も、発明の実施の形態に含まれる。
【００５６】
さらに、このプログラムの処理の全てもしくは一部がコンピュータに挿入された機能拡張ボードやコンピュータに接続された機能拡張ユニットにより行われて上述の実施の形態の機能が実現される場合も、発明の実施の形態に含まれる。
【符号の説明】
【００５７】
１    携帯電話端末
３    撮影装置
１１    アンテナ部
１２    通信制御部
１３    操作部
１４    表示部
１５    電源制御部
１６    音声入出力部
１７    正面カメラ部
１８    背面カメラ部
１９    画像処理部
２０    画像データ記憶部
２１    方向指示部
２２    傾き検出部
２３    撮影サポート用メモリ部
２４    タイマー部
２５    音声指示用データ部
３１    傾き検出部
３２    傾き設定部
３３    傾き判定部
３４    制御部
１４１    表示パネル
１４２    方向指示用ＬＥＤ
１６１    スピーカー
１８１    レンズ
【図１】
0005532735.tif 000002
【図２】
0005532735.tif 000003
【図３】
0005532735.tif 000004
【図４】
0005532735.tif 000005
【図５】
0005532735.tif 000006
【図６】
0005532735.tif 000007